(57)【要約】  電力供給システムのためのネットワーク加入者ユニット（１０）は、ネットワーク加入者ユニット（１０）と電力供給システムとの間の電力の交換を制御するための制御ユニット（１４）と、ネットワーク加入者ユニット（１０）と電力供給システムとの間の接続点（１１）で電圧ゼロ交差を決定するための装置（１３）と、基準時間のための信号を受信するためのネットワーク加入者ユニット（１０）の受信ユニット（１２）とを有する。この場合、制御ユニット（１４）は、装置（１３）によって決定される電圧ゼロ交差の時間と、受信された基準時間との間の時間オフセットを決定し、かつ時間オフセットに基づいて電力の交換を制御するように構成される。【選択図】図１
2020526152.tif 000002
【特許請求の範囲】
【請求項１】
電気エネルギー供給ネットワークのためのネットワーク加入者ユニット（１０）であって、
−  前記エネルギー供給ネットワークとの前記ネットワーク加入者ユニット（１０）の電力交換を制御するための制御ユニット（１４）、
−  前記エネルギー供給ネットワークへの前記ネットワーク加入者ユニット（１０）の接続点（１１）で電圧ゼロ交差を決定するための装置（１３）、
−  基準時間の信号を受信するための受信ユニット（１２）
を含むネットワーク加入者ユニット（１０）において、
前記制御ユニット（１４）は、前記装置（１３）によって決定される前記電圧ゼロ交差の時間と前記基準時間との間の時間オフセットを決定し、かつ前記時間オフセットに応じて前記電力交換を制御するように構成されることを特徴とするネットワーク加入者ユニット（１０）。
【請求項２】
請求項１に記載のネットワーク加入者ユニット（１０）において、前記受信ユニット（１２）は、無線受信機として実施されることを特徴とする１０）へのネットワーク加入者ユニット。
【請求項３】
請求項２に記載のネットワーク加入者ユニット（１０）において、前記受信ユニット（１２）は、前記基準時間の前記決定において、前記基準時間信号の送信機（２１）と前記受信ユニット（１２）との間の前記信号の伝搬時間を考慮するように構成されることを特徴とするネットワーク加入者ユニット（１０）。
【請求項４】
請求項１乃至３の何れか１項に記載のネットワーク加入者ユニット（１０）において、供給装置として実施されることを特徴とするネットワーク加入者ユニット（１０）。
【請求項５】
請求項１乃至４の何れか１項に記載のネットワーク加入者ユニット（１０）において、消費部として実施されることを特徴とするネットワーク加入者ユニット（１０）。
【請求項６】
請求項１乃至５の何れか１項に記載のネットワーク加入者ユニット（１０）において、価格係数で加重された所定の期間にわたり、交換された電力を蓄積するように構成され、前記価格係数は、前記時間オフセットの関数として決定されることを特徴とするネットワーク加入者ユニット（１０）。
【請求項７】
請求項６に記載のネットワーク加入者ユニット（１０）において、前記制御ユニット（１４）は、前記時間オフセットの帯域幅を決定し、かつ前記帯域幅に応じて前記価格係数の大きさを調整するように構成されることを特徴とするネットワーク加入者ユニット（１０）。
【請求項８】
請求項１乃至７の何れか１項に記載のネットワーク加入者ユニット（１０）において、前記制御ユニット（１４）は、前記時間オフセットが、前記基準時間より遅れている電圧ゼロ交差の方向に変化するとき、前記エネルギー供給ネットワークへの送込みを増加させるか、または前記エネルギー供給ネットワークからの引出しを減少させるように構成されることを特徴とするネットワーク加入者ユニット（１０）。
【請求項９】
請求項１乃至８の何れか１項に記載のネットワーク加入者ユニット（１０）において、前記制御ユニット（１４）は、前記決定された時間オフセットを所定の期間にわたって平均することにより、前記時間オフセットに対するベース値を確認し、かつ前記現在決定されている時間オフセットと前記ベース値との間の差に応じて前記電力交換を制御するように構成されることを特徴とするネットワーク加入者ユニット（１０）。
【請求項１０】
請求項１乃至９の何れか１項に記載のネットワーク加入者ユニット（１０）において、エネルギー貯蔵部（１６’）をさらに含み、前記制御ユニットは、前記エネルギー貯蔵部（１６’）を充電または放電することにより、前記エネルギー供給ネットワークとの前記電力交換を制御するように構成されることを特徴とするネットワーク加入者ユニット（１０）。
【発明の詳細な説明】
【技術分野】
【０００１】
本発明は、電気エネルギー供給ネットワークのためのネットワーク加入者ユニットに関する。
【背景技術】
【０００２】
知られているように、電気エネルギー供給ネットワークの安定性は、送り込まれる電力の合計が、引き出される電力の合計に対応することを必要とする。エネルギー供給ネットワークのオペレータは、したがって、この均衡を維持するために、送り込まれるエネルギーまたは引き出される電力を制御する。不均衡がある場合、ネットワーク周波数が変化する。例えば、引き出されるエネルギーが、送り込まれるエネルギーを超える場合、ネットワーク周波数が減少し、送り込まれるエネルギーが、引き出されるエネルギーを超える場合、ネットワーク周波数が増加する。
【０００３】
ドイツで分散的に生成されるエネルギーの割合は、絶えず増加しているため、それらの供給装置の供給電力を制御するために送電網オペレータが直接アクセスすることができる供給装置の数は減少している。したがって、多くの分散的エネルギー生産者にとって、ネットワークパラメータ、特にネットワーク周波数に応じて供給電力を独立して制御することは、標準的な必要条件である。
【０００４】
欧州特許出願公開第２８７５５６０Ａ１号明細書は、消費部がそれらのネットワーク接続点でネットワーク周波数を同様に決定して、それをベース値と比較することをさらに提案する。比較の結果として、消費部は、エネルギー供給ネットワークからの電気エネルギーの引出しを制御し、したがって均衡の達成に独立して寄与する。
【０００５】
ネットワーク周波数は、全体の接続されたエネルギー供給ネットワーク内で同じでなければならないため、この制御方法は、全体のネットワーク内で均衡を維持するのに役立ち得るのみである。したがって、地域的に電力の送込みと消費との間に著しい不均衡が存在する場合があり、それは、地域間の電力の伝送によって補償されなければならない。エネルギー供給ネットワークの遠隔区域間における伝送線路の容量は、限定されるため、全体のネットワーク内で送込みと消費との間の均衡が存在するにもかかわらず、これらの伝送線路が過負荷になることが起こり得る。これは、例えば、ドイツの北部では、十分な消費がそこで実現されずに多くのエネルギーがネットワークに送り込まれ、ドイツの南部では、十分な送込みがそこで実現されずに多くのエネルギーがネットワークから引き出される場合に当てはまる。
【０００６】
したがって、遠隔ネットワーク地域間の伝送線路における容量の増加が不要になるように、地域レベルで同様に送込みと引出しとの間の均衡を確保するのに適した、エネルギー供給ネットワークへのまたはエネルギー供給ネットワークからの電力の送込みおよび引出しのための制御メカニズムを提供することが望ましい。
【０００７】
中電圧および高電圧の変圧器は、局所的な電圧を安定させるために動作時に変圧比を変更する制御装置が装備されていることが多いため、この時点での電圧は、不十分またはあまり適切でない指標である。このような電圧制御介入のため、瞬間的な電圧からエネルギーの流れ方向を導出することは、確実に可能ではない。
【発明の概要】
【０００８】
したがって、本発明は、エネルギー供給ネットワークに送り込まれる電力と、それから引き出されるエネルギーとの間で地域的均衡が求められるように、エネルギー供給ネットワークとのエネルギー交換を設定することができるネットワーク加入者ユニットを提供するという目的に基づいている。
【０００９】
目的は、独立請求項１に記載のネットワーク加入者ユニットによって達成される。好ましい実施形態は、従属請求項で説明される。
【００１０】
電気エネルギー供給ネットワークのための本発明によるネットワーク加入者ユニットは、エネルギー供給ネットワークとのネットワーク加入者ユニットの電力交換を制御するための制御ユニットと、ネットワーク加入者ユニットとエネルギー供給ネットワークとの接続点で電圧ゼロ交差を決定するための装置と、基準時間の信号を受信するための受信ユニットとを含む。制御ユニットは、装置によって決定される電圧ゼロ交差の時間と基準時間との時間オフセットを決定し、かつ時間オフセットに応じて電力交換を制御するように構成される。
【００１１】
基準時間は、好ましくは、ネットワーク地域がネットワーク地域間の伝送線路、特に最高電圧レベルの線路に接続される接続領域または接続点でのエネルギー供給ネットワークの電圧ゼロ交差の時間に基づいて決定される。ネットワーク加入者ユニットのネットワーク接続点での電圧ゼロ交差の時間と、基準時間との間の時間オフセットは、したがって、ネットワーク地域内に送込みと消費との間の均衡が存在する程度の尺度として機能し得る。
【００１２】
消費されるよりも多くのエネルギーがネットワーク地域内で生成される場合、ネットワーク加入者ユニットのネットワーク接続点での電圧ゼロ交差の時間は、ネットワーク地域の接続点での電圧ゼロ交差に先行する傾向がある。明確に言うと、ネットワーク地域で接続されたユニットは、一括して、それらの送込みまたは消費挙動でネットワーク周波数を増加させる、すなわちネットワークを加速しようとしている。ネットワーク地域内の消費が生成よりも高い場合、ネットワーク加入者ユニットのネットワーク接続点での電圧ゼロ交差の時間は、ネットワーク地域の接続点での電圧ゼロ交差に遅れる傾向がある。明確に言うと、ネットワーク地域のネットワーク加入者は、ネットワーク周波数を減少させる、すなわちネットワークを減速しようとする。
【００１３】
しかしながら、ここで、電圧の突然の位相変化がエネルギー供給ネットワーク内で生じ得ることに留意するべきである。例えば、ネットワーク電圧を実装するための変電所において、電圧のこのような突然の位相変化、したがって電圧ゼロ交差の時間オフセットが生じ得る（例えば、ＤＹ５スイッチンググループを用いた変圧器を使用するとき）。したがって、本発明によるネットワーク加入者ユニットの制御ユニットが、時間オフセットのベース値を基準にしてエネルギー供給ネットワークとの電力交換を方向付けることは有利である。このベース値は、基準時間と電圧ゼロ交差との間の位相シフトを考慮しており、前記位相シフトは、地域的送込みと地域的消費との間の不均衡に起因しない。
【００１４】
ネットワーク加入者ユニットの接続点で決定された時間オフセットがベース値よりも小さい場合、制御ユニットは、消費よりも多い送込みまたはネットワーク地域で望まれるよりも多くの送込みがあると結論付け、ネットワーク加入者ユニットの送込みを減少させるかまたはその消費を増加させる。逆に、時間オフセットがベース値を上回る場合、すなわち時間オフセットが、基準時間より遅れている電圧ゼロ交差の方向に変化するとき、制御ユニットは、消費を減少させるかまたは送込みを増加させることによって応答する。
【００１５】
しかしながら、原則として、基準時間は、接続領域または接続点でのエネルギー供給ネットワークの電圧ゼロ交差の時間に基づいて決定されなくてもよい。基準時間は、したがって、互いに局所的に分離された複数の接続点、例えば異なる伝送線路へのネットワーク地域の接続点での電圧ゼロ交差を平均することにより、同様に確認することができる。望ましい方式で関連ネットワーク地域内の本発明によるすべてのネットワーク加入者ユニットの電力交換に一括して影響を与えるために、他のネットワークパラメータに基づいて、例えば測定点で決定される伝送電力に基づいてこの基準時間を決定することが同様に考えられる。
【００１６】
ネットワーク加入者ユニットの受信ユニットは、好ましくは、無線受信機として実施される。このようにして、追加のケーブル配線支出が回避され、正しい基準時間を伝送するためのインフラストラクチャの構築が低く抑えられる。しかしながら、基準時間の有線伝送は排除されない。
【００１７】
本発明の有利な実施形態では、受信ユニットは、基準時間の決定において、基準時間信号の送信機と受信ユニットとの間の信号の伝搬時間を考慮するように構成される。基準時間の送信機とネットワーク加入者ユニットとの物理的距離が非常に大きいため、基準時間に対する信号の伝搬時間が時間オフセットの正しい決定に関連する場合、これは、特に重要である。基準時間信号の送信機と受信ユニットとの距離は、ネットワーク加入者ユニットに記憶され得るか、または例えばネットワーク加入者ユニットが（例えば、ＧＰＳ信号を通して）絶対的にその位置を決定するか、もしくは（例えば、三角測量を通して）予め位置が分かっている１つもしくは複数の送信機に対してその位置を決定することにより、ネットワーク加入者ユニットによって独立して決定され得る。
【００１８】
電圧のゼロ交差の代わりに、時間オフセットを決定するための基盤としてピークまたは任意の他の位相位置を同様に使用することができる。したがって、本出願に関連して、電圧ゼロ交差という用語は、ＡＣ電圧が極性を変更する特定の時点だけでなく、時間オフセットを決定するための基準点として使用される、ＡＣ電圧の位相プロファイルと固定関係にあるＡＣ電圧の位相プロファイルの各時点も含むように意図される。対応する時点は、例えば、ＰＬＬ（位相ロックループ）アルゴリズムを用いて決定することができる。
【００１９】
本発明の１つの実施形態では、ネットワーク加入者ユニットは、供給装置として、例えば風力発電所、太陽光発電システムまたはコジェネレーションユニットとして実施される。この場合、制御ユニットは、エネルギー供給ネットワークへの電気エネルギーの送込みを制御する。
【００２０】
本発明のさらなる実施形態では、ネットワーク加入者ユニットは、消費部として実施される。この場合、制御ユニットは、ネットワーク加入者ユニットの消費を制御する。
【００２１】
本発明のさらに別の実施形態では、ネットワーク加入者ユニットは、エネルギー貯蔵部を含み、制御ユニットは、エネルギー貯蔵部を充電または放電することにより、エネルギー供給ネットワークとの電力交換を制御するように構成される。有利には、ネットワーク加入者ユニットの制御ユニットは、この場合、エネルギー貯蔵部を充電するために、特定の時間オフセットのためにエネルギー供給ネットワークに送り込まれるべきでない生成されたエネルギーをエネルギー貯蔵部へ部分的にまたは完全に方向転換させるように構成される。制御ユニットは、エネルギー貯蔵部が放電されるように、所定の時間に生成され得ないが、エネルギー供給ネットワークに送り込まれる電気エネルギーをエネルギー貯蔵部から引き出すように同様に構成され得る。同様に、制御ユニットは、決定された時間オフセットのためにエネルギー供給ネットワークから電気エネルギーが引き出されない場合、ネットワーク加入者ユニットの消費部がエネルギー貯蔵部から電気エネルギーを受け取ることを確実にし得る。当然のことながら、制御ユニットは、決定された時間オフセットがエネルギー供給ネットワークからの電力の引出しを支持するとき、エネルギー貯蔵部がエネルギー供給ネットワークから充電されることを同様に確実にし得る。
【００２２】
エネルギー供給ネットワークとの電力交換を制御することに加えて、ネットワーク加入者ユニットは、同様に、価格係数で加重された所定の期間にわたり、交換された電力を蓄積するように構成され得、価格係数は、時間オフセットの関数として決定される。このようにして、エネルギーメータの機能を同様にネットワーク加入者ユニットによって同時に実現することができ、送り込まれるかまたは引き出されるエネルギーのエネルギー供給者に請求する目的で変動価格を割り当てることができ、前記変動価格は、ネットワーク地域内のそれぞれの供給状況に依存する。ネットワーク地域の安定性、すなわち地域的消費と地域的送込みとの間の均衡に寄与するネットワーク加入者ユニットの挙動は、したがって金銭的インセンティブによって報酬を与えられ、したがってそれに応じて、ネットワーク地域を不安定にする挙動を金銭的に制裁することができる。
【００２３】
有利には、制御ユニットは、決定された時間オフセットを所定の期間にわたって平均することにより、時間オフセットのベース値を確認し、かつ現在決定されている時間オフセットとベース値との間の差に応じて電力交換を制御するように構成され得る。ベース値の決定は、例えば、変更された境界条件、例えば他のネットワーク加入者、変電所またはネットワーク区域の追加または撤去を通したネットワーク地域のインフラストラクチャの変更を考慮するために規則的または不規則な間隔で繰り返すことができる。ベース値の確認は、したがって、この場合に適応的に行われる。
【００２４】
ネットワークの周辺区域において、最大の引出しと最大の局所的生成との間の位相差の帯域幅は、中心的なネットワークノードにおけるよりも大きい場合がある。したがって、価格係数の形式の金銭的評価は、生じている位相差の全帯域幅に対して行うものとする。この理由のため、より大きい位相差は、ネットワークの周辺区域で中心的なネットワークノードにおけるのと同じ金銭的評価、すなわち同じ変動範囲の価格係数につながるべきである。評価パラメータは、したがって、ネットワークノードで正しく生じているベース位相および位相帯域幅である。
【００２５】
本発明の有利な改良形態において、制御ユニットは、時間オフセットの帯域幅を決定し、かつ帯域幅に応じて価格係数の大きさを調整するように構成される。この目的のため、制御ユニットは、特にそのプロセスで時間オフセットの関数として電力交換を能動的に制御することなく、所定の期間にわたって時間オフセットの値を観察することができる。その後、第１の価格係数は、時間オフセットの平均値に割り当てられ得、および第２の価格係数は、極値または統計的に帯域幅に関連付けられ（例えば、標準偏差σだけ）、かつ平均値から外れた値に割り当てられ得る。これらの２つの価格係数は、したがって、例えば線形補間を通して、時間オフセットの他の値に対する価格係数の割当てのための基準点を形成することができる。特に、価格係数のための基準点は、ネットワーク加入者ユニットのネットワーク接続点での電圧ゼロ交差が遅れている場合、すなわち平均値と比較して増加した時間オフセット値の場合、より高い価格係数が使用され、電圧ゼロ交差が先行している場合、すなわち平均値と比較して短い時間オフセット値の場合、より低い価格係数が特定の電力交換のための基盤として使用されるように選択することができる。したがって、送込みの増加は、遅れているネットワーク状態で経済的に支持されるのに対して、消費の増加は、この場合、それに応じて不利な条件に置かれる。先行しているネットワーク状態の場合、送込みおよび消費は、正確に逆の方式で経済的に評価される。電力交換を制御することにより、ネットワーク加入者ユニットは、したがって経済的に有利な動作を用いてネットワーク安定化に寄与することができる。
【００２６】
時間オフセットに応じたエネルギー供給ネットワークとの電力交換の制御に加えて、ネットワーク加入者ユニットは、他のネットワークパラメータ、特にネットワーク周波数および／または電圧振幅に応じて以前から知られている方式で電力交換を制御することができる。
【００２７】
本発明のさらなる態様は、ネットワーク加入者ユニットまたは複数のネットワーク加入者ユニットを用いてネットワーク内の電力流を決定および監視するという目的に基づいている。本発明のこの態様による電気エネルギー供給ネットワークのためのネットワーク加入者ユニットは、ネットワーク加入者ユニットとエネルギー供給ネットワークとの接続点で電圧ゼロ交差を決定するための装置と、基準時間の信号を受信するための受信ユニットとを含む。ネットワーク加入者ユニットは、基準時間に対する電圧ゼロ交差の時間を決定し、かつこの時間を記憶して前記時間を即時のまたは後の送信のために提供するように構成される。ネットワーク加入者ユニットは、好ましくは、多数の電圧ゼロ交差を検出し、かつそれらの電圧ゼロ交差から、電圧ゼロ交差の位相の時間プロファイルと同様にネットワーク周波数を決定、記憶および送信する。
【００２８】
評価ユニットは、ネットワーク加入者ユニットの一部またはネットワーク加入者ユニットから遠隔に配置された独立したユニットであり得、電圧ゼロ交差の時間についてのデータまたはネットワーク周波数および／もしくは位相の時間プロファイルについてのデータを複数のネットワーク加入者ユニットから受信する。このデータから、評価ユニットは、基準時間に応じて前記ネットワーク加入者ユニットの２つずつの電圧ゼロ交差間の位相オフセットについての情報を決定し、この情報から位相オフセットの時間プロファイルについての情報を生成する。評価ユニットは、位相オフセットの時間プロファイルから、対応するネットワーク加入者ユニット間に広がるネットワーク区域の電力流変化の時間プロファイルを決定するようにさらに構成される。例えば、関連ネットワーク区域における既知の電力流を用いて基準位相オフセットを決定することにより、ネットワーク加入者ユニットの各２つの間の位相オフセットについての情報を較正することにより、このネットワーク区域における現在の電力流を結論付けることができる。この較正は、好ましくは、較正後、それぞれのネットワーク加入者ユニット間の関連ネットワーク区域における電力流についての情報を確認することが可能であるように評価ユニットによって実行される。
【００２９】
較正の品質は、特にこれらの電力流が許容電力流の極値を表すとき、いくつかの既知の電力流において位相オフセットを決定することによって改善することができる。あるいは、関連ネットワーク区域のインピーダンスについての知識または正当な仮定を使用して較正を行うかまたは改善することができる。
【００３０】
電圧ゼロ交差の時間を決定する精度は、複数の電圧ゼロ交差の時間を決定し、かつ複数の電圧ゼロ交差の時間の決定中に一定のネットワーク周波数を仮定して前記時間を平均することによって同様に向上され得る。
【００３１】
本発明のこの態様の第１の実施形態では、第１のネットワーク加入者ユニットは、変圧器の第１の側に配置され、および第２のネットワーク加入者ユニットは、変圧器の第２の側に配置される。この構成では、変圧器を介した電力流は、評価ユニットによって監視され得る。
【００３２】
有利には、評価ユニットは、ネットワーク区域における位相オフセットから決定された電力流がこのネットワーク区域に対する許容値範囲外であるとき、警告信号を生成し、好ましくはそれを通信相手に送信するように構成される。結果として、ネットワーク区域またはネットワーク区域に配置されたネットワーク構成要素の過負荷を示唆し、例えば適切な反対の応答を通して理想的に回避することができる。
【００３３】
さらなる有利な実施形態では、評価ユニットは、決定された電力流情報を上位ユニットまたは同様にネットワーク加入者ユニット自体に送信する。後者の場合、ネットワーク加入者ユニットは、送信された電力流情報に応じてそれらの送込み挙動を変更することができ、特に望ましくない電力流を打ち消すことができる。上位ユニットは、同様に、望ましくない電力流を打ち消すために適当な措置をとることができる。
【００３４】
さらなる態様と関連付けられた方法は、以下のステップを含む。第１のネットワーク加入者ユニットにおいて、第１のネットワーク加入者ユニットに接続されたエネルギー供給ネットワークの電圧ゼロ交差の第１の時間は、第１のネットワーク加入者ユニットで受信している基準時間信号に対して決定される。第２のネットワーク加入者ユニットにおいて、第２のネットワーク加入者ユニットに接続されたエネルギー供給ネットワークの電圧ゼロ交差の第２の時間は、第２のネットワーク加入者ユニットで受信している基準時間信号に対して決定される。第１および第２のネットワーク加入者ユニットを接続しているネットワーク区域における電力流は、時間の差から決定される。この目的のため、既知の電力流および／または接続ネットワーク区域の線路インピーダンスについての知識もしくは仮定を用いて時間差を決定することにより、較正を使用することができる。確認された電力流が許容値範囲外である場合、警告信号を生成および送信することができる。
【００３５】
以下の本文では、図を用いて本発明を例示する。
【図面の簡単な説明】
【００３６】
【図１】図１は、本発明によるネットワーク加入者ユニットを例示する。
【図２】図２は、エネルギー供給ネットワークのネットワーク地域の概略図を例示する。
【図３】図３は、エネルギー供給ネットワークの異なる地点での電圧プロファイルを例示する。
【発明を実施するための形態】
【００３７】
図１は、本発明によるネットワーク加入者ユニット１０の内部の設計を示す。ネットワーク加入者ユニット１０は、エネルギー供給ネットワークに接続するための接続点１１を有する。この接続は、一相または三相でもたらされ得る。接続部１１に接続されたエネルギー供給ネットワークの電圧ゼロ交差の時間を決定するために、装置１３が接続点１１に接続される。さらに、ネットワーク加入者ユニット１０は、特に無線信号として外部の時間信号を受信することができる受信ユニット１２を有する。これらの２つの時間の間の時間オフセットを決定するために、時間信号は、装置１３に転送され、装置１３で電圧ゼロ交差の時間と比較される。比較の結果は、ネットワーク加入者ユニット１０の制御ユニット１４に転送され、制御ユニット１４は、今度は接続部１５、１６、１７を介して消費部１７’、発電機１５’および／またはエネルギー貯蔵部１６’に接続される。制御ユニット１４は、時間オフセットに応じて、エネルギー供給ネットワークと、消費部１７’、発電機１５’および／またはエネルギー貯蔵部１６’との間の接続点１１を介した電力交換を制御する。この目的のため、制御ユニット１４は、エネルギー供給ネットワークとの電力交換を制御するために、接続部１５、１６、１７を介して電力流を個別にまたは連帯的に変更することができる。消費部１７’、発電機１５’および／またはエネルギー貯蔵部１６’は、この場合、ネットワーク加入者ユニット１０の一部であり得、それにより、これは、供給装置、消費部または貯蔵部として機能し、またはネットワーク加入者ユニット１０は、これらの構成要素が接続され、これらの構成要素を制御する独立した装置であり得る。
【００３８】
本発明によるネットワーク加入者ユニット１０は、図２に概略的に例示されるように、ネットワーク地域２３内の異なる場所で使用することができる。本発明によるネットワーク加入者ユニット１０は、本発明による他のネットワーク加入者ユニットとの任意の組合せで使用することができるが、同様に本発明によらないネットワーク加入者ユニットとの任意の組合せで使用することができる。これらは、電力の消費部、発電機および／または貯蔵部を含み得る。したがって、図２に示される実施形態では、消費部１７’に接続されるネットワーク加入者ユニット１０は、独立したユニットとして実施されるのに対して、本発明による他のネットワーク加入者ユニット１０は、貯蔵部１６’および／または発電機１５’を有する。
【００３９】
ネットワーク地域２３は、送信機２１が同時に配置される接続点で伝送線路２２に接続される。送信機２１は、この場合、信号情報として基準時間が含まれる無線信号を送信する。基準時間は、好ましくは、伝送線路２２の電圧のゼロ交差に基づいて決定される。
【００４０】
本発明による異なるネットワーク加入者ユニット１０は、この無線信号を受信し、基準時間に関してそれを評価する。ここで、送信機と受信機との間の物理的距離に起因する無線信号の伝搬時間がそれぞれ考慮される。
【００４１】
ネットワーク地域２３内において、エネルギー供給ネットワークのインピーダンスは、離散的なネットワークインピーダンス２５の形式で表される。これらは、エネルギー供給ネットワークに位相シフトを引き起こし、前記位相シフトは、ネットワークインピーダンス２５の場所で流れる電力に依存する。電力に依存しない成分を同様に含むさらなる位相シフトは、エネルギー供給ネットワーク内の電圧レベルを調整する変圧器２４によって引き起こされることがある。エネルギー供給ネットワークの異なる地点間の位相シフトは、これらの地点間のネットワーク電力流の方向および大きさの尺度を提供し、したがって送込みと消費との間の局所的な不均衡がこれらの地点の少なくとも１つの領域にあるように、ネットワークインピーダンス２５および変圧器２４の位相シフトは、ネットワーク地域内の線路に沿って合計される。
【００４２】
図３は、送信機２１の場所での時間的な電圧プロファイル３０を下のグラフに示し、ネットワーク加入者ユニット１０の受信ユニット１２の場所での時間的な電圧プロファイル３０を上のグラフに示す。時刻Ｔにおける送信機２１の場所での電圧ゼロ交差と比較して、受信ユニット１２またはネットワーク加入者ユニット１０の場所での電圧ゼロ交差は、代わりに時間オフセットΔｔ＝ｔ０−Ｔ＝Δφ／ωだけ遅い時刻ｔ０に起こる。この場合、ωは、ネットワーク周波数に対応し、Δφは、位相オフセットに対応する。位相オフセットまたは時間オフセットは、ネットワーク地域における送込みと消費との間の均衡の状態に依存する部分と、それに依存しない部分とに分けることができる。依存しない部分は、上述の方式で決定し、ベース値として考慮することができる。ネットワークとの本発明によるネットワーク加入者ユニット１０の電力交換は、好ましくは、ネットワーク地域における送込みと消費との間の不均衡が相殺されるように、依存する成分によって専ら決定される。位相オフセットは、ネットワーク地域２３内の負荷分散がどのように変動するかに応じて変動範囲内で時間の関数として変動し得る。
【００４３】
図３を使用して、同様に本発明のさらなる態様による電力流の決定を解説することができる。ここで、例示される電圧プロファイル３０は、２つのネットワーク加入者ユニット１０の場所での電圧プロファイルと理解するべきであり、それらのネットワーク加入者ユニット１０は、両方とも図１におけるように受信ユニット１２を含む。この場合、基準時間信号は、エネルギー供給ネットワークの別の場所での電圧ゼロ交差を参照する必要はないが、例えばＧＰＳ無線信号によって送信される原子時計の時間信号であり得る。上のグラフと関連付けられたネットワーク加入者ユニットは、時刻ｔ０において電圧ゼロ交差を決定するのに対して、下のグラフと関連付けられたネットワーク加入者ユニットは、時刻Ｔにおいて電圧ゼロ交差を決定する。時間オフセットΔｔ＝ｔ０−Ｔ＝Δφ／ωは、ここで、２つのネットワーク加入者ユニットを接続するネットワーク区域における電力流およびそのネットワーク区域の線路インピーダンス、特にそのインダクタンスに依存する。例えば、関連時間オフセットΔｔが２つの電力流値に対して知られている場合、関連電力流は、任意の他の時間オフセットに内挿または外挿を通して同様に割り当てることができる。ここで、特にネットワーク位相に段差を引き起こすことのある変圧器がネットワーク加入者間に配置される場合、ゼロの時間オフセットは、同様に、必ずしもゼロの電力流に割り当てられなくてもよいことに留意するべきである。この場合、ゼロから外れた時間オフセットまたは位相オフセットをゼロの電力流に同様に関連付けることができる。
【符号の説明】
【００４４】
１０  ネットワーク加入者ユニット
１１  接続点
１２  受信ユニット
１３  装置
１４  制御ユニット
１５  接続部
１５’  発電機
１６  接続部
１６’  エネルギー貯蔵部
１７  接続部
１７’  消費部
２１  送信機
２２  伝送線路
２３  ネットワーク地域
２４  変圧器
２５  ネットワークインピーダンス
３０  電圧プロファイル
【図１】
2020526152.tif 000003
【図２】
2020526152.tif 000004
【図３】
2020526152.tif 000005
【国際調査報告】
2020526152.tif 000006
2020526152.tif 000007
2020526152.tif 000008
2020526152.tif 000009